(57)【要約】【課題】筐体の中心線上に電気接続手段を配置できる照明装置を提供する。【解決手段】照明装置10は、発光ユニット11および電気接続ユニット12を備える。発光ユニット11は、筐体20、筐体20の一端側に設けられた発光モジュール21、および筐体20の他端側に収容された電源回路22を有する。発光モジュール21および電源回路22は筐体20の中心線20a上に配置する。電気接続ユニット12は、筐体20の他端側に筐体20の中心線20aと一致するように設けられ、発光モジュール21に接続される電気接続手段53を配置する。【選択図】図１
2016066495.tif 000002
【特許請求の範囲】
【請求項１】
筐体、この筐体の一端側に設けられた発光モジュール、および前記筐体の他端側に収容された電源回路を有し、前記発光モジュールおよび前記電源回路が前記筐体の中心線上に配置される発光ユニットと；
前記筐体の他端側に前記筐体の中心線と一致するように設けられ、前記発光モジュールに接続される電気接続手段が配置される電気接続ユニットと；
を具備することを特徴とする照明装置。
【請求項２】
前記電気接続ユニットは、前記電気接続手段を内蔵した端子台、前記電気接続手段を挿通するカバー、および前記電気接続手段を突設した引掛シーリング用アダプタのいずれか１つである
ことを特徴とする請求項１記載の照明装置。
【発明の詳細な説明】
【技術分野】
【０００１】
本発明の実施形態は、発光モジュールおよび電源回路を備えた照明装置に関する。
【背景技術】
【０００２】
発光モジュールおよび電源回路を備えた照明装置では、一般に、筐体の中心線上に発光モジュールおよび電源回路が配置されている。筐体には発光モジュールに電源を供給する電気接続手段である電源線を筐体内に引き込むために電源孔が設けられているが、この電源孔は発光モジュールおよび電源回路との干渉を避けて筐体の中心線からずれた位置に配置されている。したがって、筐体の中心線からずれた位置に電源線が接続されることになる。
【０００３】
そのため、照明装置を所定の位置に設置する場合、筐体の中心線からずれた電源孔の位置に対応して例えば天井面や壁面に電源線を通す電源孔を設けることが難しく、照明装置の位置がずれるおそれがある。
【先行技術文献】
【特許文献】
【０００４】
【特許文献１】国際公開第２０１４／０４１８１０号
【発明の概要】
【発明が解決しようとする課題】
【０００５】
本発明が解決しようとする課題は、筐体の中心線上に電気接続手段を配置できる照明装置を提供することである。
【課題を解決するための手段】
【０００６】
実施形態の照明装置は、発光ユニットおよび電気接続ユニットを備える。発光ユニットは、筐体、筐体の一端側に設けられた発光モジュール、および筐体の他端側に収容された電源回路を有する。発光モジュールおよび電源回路は筐体の中心線上に配置する。電気接続ユニットは、筐体の他端側に筐体の中心線と一致するように設けられ、発光モジュールに接続される電気接続手段を配置する。
【発明の効果】
【０００７】
本発明によれば、筐体の中心線上に電気接続手段を配置することが期待できる。
【図面の簡単な説明】
【０００８】
【図１】第１の実施形態を示す電気接続手段として端子台を用いた照明装置の断面図である。
【図２】同上端子台を用いた照明装置の分解状態の斜視図である。
【図３】同上電気接続ユニットとしてカバーを用いた照明装置の分解状態の斜視図である。
【図４】同上カバーを用いた照明装置の使用状態の斜視図である。
【図５】同上電気接続ユニットとしての引掛シーリング用アダプタを用いた照明装置の分解状態の斜視図である。
【図６】第２の実施形態を示す照明装置の断面図である。
【図７】同上照明装置の分解状態の斜視図である。
【発明を実施するための形態】
【０００９】
以下、第１の実施形態を、図１ないし図５を参照して説明する。
【００１０】
図１および図２に示すように、照明装置10は、発光ユニット11および電気接続ユニット12を備えている。さらに、照明装置10は、取付台13、器具本体14およびグローブ15を備えている。
【００１１】
そして、発光ユニット11は、筐体20、筐体20の一端側に設けられる発光モジュール21、および筐体20の他端側に収容される電源回路22を備えている。発光モジュール21および電源回路22は筐体20の中心線20a上に配置されている。
【００１２】
筐体20は、本体ケース24と、本体ケース24の一端側に取り付けられる透光カバー25、および本体ケース24の他端側に取り付けられる電源ケース26を備えている。本体ケース24は、例えばアルミダイカスト製である。本体ケース24には、平板状の取付部27が形成され、この取付部27の周囲に周壁部28が形成されている。取付部27の一端側の面に発光モジュール21が取り付けられている。また、透光カバー25は、透光性を有する樹脂またはガラスで形成されている。透光カバー25は、発光モジュール21および本体ケース24の一端側を覆って周壁部28に取り付けられている。また、電源ケース26は、例えば合成樹脂製で、中央に電源回路22を収容する収容部29が形成されている。電源ケース26の他端側には電気接続ユニットを取り付けるための複数の取付孔30が形成されている。なお、本体ケース24および電源ケース26には、発光モジュール21と電源回路22とを電気的に接続する電線を通すための配線孔24aおよび26aがそれぞれ形成されている。
【００１３】
発光モジュール21は、基板32、およびこの基板32に実装された発光素子33を備えている。発光モジュール21は、例えば、基板32に実装した発光素子33としての複数のＬＥＤを、蛍光体を含有した透光性樹脂で封止したＣＯＢモジュールで構成されている。なお、発光モジュール21には、パッケージ内にＬＥＤを収納して蛍光体を含有した蛍光体層で封止したＳＭＤ（Surface Mount Device）パッケージを用いてもよく、あるいはＬＥＤ以外の例えば有機ＥＬ等の他の発光素子を用いてもよい。
【００１４】
電源回路22は、回路基板35、および回路基板35に実装された電子部品36を備えている。電源回路22は、交流電力を入力し、交流電力を所定の直流電力に変換して発光モジュール21に供給し、発光素子33を点灯させる。
【００１５】
また、電気接続ユニット12は、端子台40である。端子台40は、端子台本体41、および端子台本体41内に配置された一対の端子42を備えている。端子台40は、その端子台40の中心が発光ユニット11の筐体20の中心と一致するように、筐体20の他端側に取り付けられている。
【００１６】
端子台本体41は、例えば、合成樹脂製で、円筒状の本体部44、およびこの本体部44の一端周辺部から突出するフランジ部45を備えている。フランジ部45には複数の挿通孔46が形成され、挿通孔46を挿通したねじ47が電源ケース26の取付孔30に螺着され、端子台40が電源ケース26に取り付けられている。本体部44の他端側には複数の取付孔48が形成され、取付台13を挿通したねじ49が取付孔48に螺着され、取付台13と端子台40とが固定されている。また、本部部44には端子42をそれぞれ収納する一対の端子収納部50が形成され、端子収納部50の一端側に配線孔51が連通形成されているとともに、端子収納部50の他端側に電線挿入孔52が連通形成されている。配線孔51は、電源ケース26の収容部29に連通され、電源回路22と端子42とを電気的に接続する接続線が挿通される。電線挿入孔52には、電気接続手段53としての電源線54が挿入される。
【００１７】
端子42は、配線孔51および電線挿入孔52にそれぞれ挿入された接続線および電源線54を電気的に接続状態で抜け止め係止する例えば鎖錠端子が用いられている。端子42は、接続線用の端子部42aと電源線54用の端子部42bとを有している。
【００１８】
また、取付台13は、例えば金属板によって構成され、平板状の取付台部60、およびこの取付台部60の両端から略Ｌ字形に折曲された脚部61を備えている。取付台部60の中心には、電源線54が挿通する電源孔62が形成され、電源孔62よりも外側にねじ49が挿通する挿通孔63が形成されている。脚部61には、挿通孔64が形成されている。
【００１９】
また、器具本体14は、円板状の設置部67、および設置部67の周辺部から突出する円筒状の側面部68に備えている。設置部67には、設置部67の中心に電源線54が挿通する開口部69が形成され、設置部67の開口部69よりも外径側に一対のねじ70が突設されている。そして、ねじ70に取付台13の挿通孔64が挿通され、ねじ70に化粧ナット71がねじ込まれることにより、取付台13が器具本体14に固定されている。
【００２０】
また、グローブ15は、例えば乳白色の透光性を有する材料で形成されている。グローブ15の一端側は閉塞され、他端側が開口されている。グローブ15の他端側の開口縁部が器具本体14の側面部68に取り付けられている。
【００２１】
そして、このように構成された照明装置10では、発光ユニット11の発光モジュール21および電源回路22が筐体20の中心線20a上に配置されているが、筐体20の他端側に端子台40を配置しているため、端子台40に接続する電源線54は筐体20の中心線20a上に配置することができる。
【００２２】
そのため、器具本体14の開口部69を器具本体14の中心に設けることができる。さらに、壁面や天井面等の構造物に対して所望の位置に照明装置10を設置しようとする場合、所望の位置の中心に電源線54を通す電源孔をあければよいため、施工性を向上できるとともに、照明装置10を所望の位置に設置することができる。
【００２３】
また、図３および図４には、照明装置10を吊下げ形器具として構成する場合を示す。この場合、発光ユニット11は図１および図２と共通のものが用いられ、電気接続ユニット12は端子台40に代えてカバー74が用いられる。カバー74は、そのカバー74の中心が発光ユニット11の筐体20の中心と一致するように、筐体20の他端側に取り付けられている。
【００２４】
カバー74は、コードカバーであり、絶縁板75を介して電源ケース26の他端側に取り付けられる。カバー74は、一端側が開口されるとともに他端側が閉塞された円筒状のカバー部76、およびこのカバー部76の一端側周辺部から突出するフランジ部77を有している。フランジ部77には、複数の挿通孔78が形成され、挿通孔78を挿通したねじ（ねじ47と同様）が電源ケース26の取付孔30に螺着され、カバー74が電源ケース26に取り付けられている。
【００２５】
カバー部76の中心には、電気接続手段53としてのコード79の一端を通すコード挿通孔80が形成されている。コード79の一端は、電源回路22と電気的に接続されるとともに、コード79の途中がカバー部76に保持されている。コード79の他端は、例えば天井面等に設置された給電機能付きのレールや引掛シーリングボディに装着される。したがって、図４に示すように、コード79によって照明装置10を吊下げ支持することができる。なお、絶縁板75には、電源回路22に接続するコード79を通すためのコード挿通孔75aが形成されている。
【００２６】
そして、この例の照明装置10でも、発光ユニット11の発光モジュール21および電源回路22が筐体20の中心線20a上に配置されているが、筐体20の他端側にカバー74を配置しているため、カバー74に配置するコード79は筐体20の中心線20a上に配置することができる。そのため、照明装置10を所望の位置に設置することができる。
【００２７】
また、図５には、照明装置10を引掛シーリングボディ83に装着する構成の場合を示す。この場合、発光ユニット11は図１および図２と共通のものが用いられ、電気接続ユニット12は端子台40に代えて引掛シーリング用アダプタ84が用いられる。引掛シーリング用アダプタ84は、アダプタ本体85、電気接続手段53としての一対の端子86、ストッパ87およびロックボタン88等を備えている。
【００２８】
アダプタ本体85の一端側には発光ユニット11の電源ケース26を収容する凹部89が形成され、凹部89の底部に複数の挿通孔90が形成され、挿通孔90を挿通したねじ（ねじ47と同様）が電源ケース26の取付孔30に螺着され、引掛シーリング用アダプタ84と電源ケース26すなわち筐体20とが固定されている。
【００２９】
一対の端子86は、略Ｌ字形に形成され、アダプタ本体85の他端面から突設されている。そして、一対の端子86を引掛シーリングボディ83に挿入した後に引掛シーリング用アダプタ84を所定の接続方向に回動させることにより、一対の端子86を引掛シーリングボディ83に機械的に取り付けることができるとともに電気的に接続することができる。
【００３０】
ストッパ87は、アダプタ本体85の他端面から出没可能とし、引掛シーリング用アダプタ84を引掛シーリングボディ83に回動装着した位置で、アダプタ本体85から突出して引掛シーリングボディ83に引っ掛かり、逆方向に回動するのを規制する。
【００３１】
ロックボタン88は、引掛シーリング用アダプタ84を引掛シーリングボディ83から外す際に操作されることにより、ストッパ87をアダプタ本体85側に移動させて引掛シーリングボディ83から外すように構成されている。
【００３２】
そして、この例の照明装置10でも、発光ユニット11の発光モジュール21および電源回路22が筐体20の中心線20a上に配置されているが、筐体20の他端側に引掛シーリング用アダプタ84を配置するため、引掛シーリング用アダプタ84を筐体20の中心線20a上に配置することができる。そのため、照明装置10を所望の位置に設置することができる。
【００３３】
次に、図６および図７に第２の実施形態を示す。なお、第１の実施形態と同じ構成については同じ符号を用いてその説明を省略する。
【００３４】
照明装置10は、発光ユニット11および電気接続ユニット12を備えている。
【００３５】
発光ユニット11では、本体ケース24を例えば樹脂製としている。発光モジュール21は、例えばアルミニウム等の放熱部品93に搭載され、この放熱部品93によって本体ケース24に取り付けられている。
【００３６】
本体ケース24の他端側には、アダプタベース94が取り付けられている。アダプタベース94は、例えば樹脂製で、電源回路22が配置されている。アダプタベース94の他端側には、一対の取付孔95が形成されているとともに、一対の端子挿通孔96が形成されている。さらに、アダプタベース94は、引掛シーリング用アダプタ84と同様に、一対の端子86、ストッパ87およびロックボタン88等を備えている。端子86は取付孔95にねじ97で固定され、端子挿通孔96を通じてアダプタベース94の他端面から突出されている。
【００３７】
また、電気接続ユニット12としてはカバー74が用いられている。カバー74は、コードカバーであり、一端側が開口されるとともに他端側が閉塞された円筒状に形成されている。
【００３８】
カバー74の中心には、電気接続手段53としてのコード79の一端を通すコード挿通孔80が形成されている。コード79の一端は、電源回路22と電気的に接続されるとともに、コード79の途中がカバー74に保持されている。コード79の他端は、例えば天井面等に設置された給電機能付きのレールや引掛シーリングボディに装着される。したがって、コード79によって照明装置10を吊下げ支持することができる。
【００３９】
また、照明装置10を引掛シーリングボディ83に装着する構成とする場合には、発光ユニット11からカバー74を外した状態とすることにより、発光ユニット11を引掛シーリングボディ83に装着することができる。
【００４０】
また、電気接続ユニット12として端子台40を用いる場合には、アダプタベース94の取付孔95を利用して、アダプタベース94の他端側に端子台40をねじ止めする。
【００４１】
そして、この実施形態においても、発光ユニット11の発光モジュール21および電源回路22が筐体20の中心線20a上に配置されているが、筐体20の他端側に電気接続ユニット12（端子台40、カバー74およびアダプタベース94）を配置するため、電気接続ユニット12を筐体20の中心線20a上に配置することができる。そのため、照明装置10を所望の位置に設置することができる。
【００４２】
しかも、発光ユニット11がアダプタベース94を備えるため、引掛シーリングボディ83に取り付ける照明装置10として構成する場合、引掛シーリング用アダプタ84が別途不要にできるとともに、引掛シーリング用アダプタ84を用いる場合よりも構成を簡素化することができる。
【００４３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
10    照明装置
11    発光ユニット
12    電気接続ユニット
20    筐体
20a   中心線
21    発光モジュール
22    電源回路
40    端子台
53    電気接続手段
74    カバー
84    引掛シーリング用アダプタ
【図１】
2016066495.tif 000003
【図２】
2016066495.tif 000004
【図３】
2016066495.tif 000005
【図４】
2016066495.tif 000006
【図５】
2016066495.tif 000007
【図６】
2016066495.tif 000008
【図７】
2016066495.tif 000009